(57)【要約】      （修正有）【課題】改良された線材バインディングベルトを提供する。【解決手段】外環の面には、ロック部１０１が成型される套管１０４と、前記套管の外環の面から延伸して成型される被覆部１０２と、前記被覆部の底部端に近い平面に成型され、前記ロック部とロックすることに用いられる対応ロック部と、を備える。線材バインディングベルト１０は、線材２０に組み合わせられ、軟質材料で製作され、延伸した該被覆部が縛り整理済み線材を被覆して固定する。線材における套管には、その被覆部における対応ロック部１０３とロックすることに用いられるロック部１０１が成型されており、速やか且つ便利に縛り整理済み線材２０を固定することができる。【選択図】図１
0003171783.tif 000002
【実用新案登録請求の範囲】
【請求項１】
外環の面には、ロック部が成型される套管と、
前記套管の外環の面から延伸して成型される被覆部と、
前記被覆部の底部端に近い平面に成型され、前記ロック部とロックすることに用いられる対応ロック部と、を備えることを特徴とする線材バインディングベルト。
【請求項２】
前記套管が、直接に線材の外環に成型されることを特徴とする請求項１に記載の線材バインディングベルト。
【請求項３】
前記套管の外環の面には、前記套管と線材との相互的な組合せに用いられる合わせ目が成型されることを特徴とする請求項１に記載の線材バインディングベルト。
【請求項４】
前記套管の前記ロック部が凸点状であることを特徴とする請求項１に記載の線材バインディングベルト。
【請求項５】
前記被覆部の前記対応ロック部が貫通孔状であることを特徴とする請求項４に記載の線材バインディングベルト。
【請求項６】
前記ロック部と前記対応ロック部がマジックテープであることを特徴とする請求項１に記載の線材バインディングベルト。
【請求項７】
前記ロック部と前記対応ロック部とが磁石であることを特徴とする請求項１に記載の線材バインディングベルト。
【考案の詳細な説明】
【技術分野】
【０００１】
本考案は、縛り整理済み線材を固定するための線材バインディングベルトに関し、特に、速やか且つ便利に縛り整理済み線材を固定して、線材が脱落して絡まって入り交じることが発生しないようにする固定ベルトに関する。
【背景技術】
【０００２】
日常生活の生活用品において、一部の用品によく線材が附属しており、例えば、一般に、家電には電線があり、イヤホーンが線材からなる等の場合が挙げられ、使用の時、電器から露出した線材が入り交じて絡まることになり、通過の時につまずいて転んでしまう危険があり、且つ外観が美しくなく、また、使用した後で収納する時に、一般に線材をどのように整理するか分からないため、物品に巻き付いたり、勝手に結び目を作って束ねたり、そのまま置いたりして、次回に使用する時に、絡まって入り交じてしまった線材を解く時間が必要であるだけではなく、線材が絡まった時に、線材の内部の線路が折れ曲がり過ぎて欠損・断裂しやすく、物品の損傷を引き起こしやすいため、改良が期待されている。
【考案の概要】
【考案が解決しようとする課題】
【０００３】
本考案は、速やか且つ便利に縛り整理済み線材を固定して、線材が脱落して絡まって入り交じることが発生しないようにする線材バインディングベルトを提供することを主な目的とする。
【課題を解決するための手段】
【０００４】
前記目的を実現するために、本考案は、以下のような技術方案を採用する。
【０００５】
外環の面には、ロック部が成型される套管と、前記套管の外環の面から延伸して成型される被覆部と、前記被覆部の底部端に近い平面に成型され、前記ロック部とロックすることに用いられる対応ロック部と、を備える線材バインディングベルトである。
【０００６】
従来の技術に比べると、前記技術方案を採用した本考案は、速やか且つ便利に縛り整理済み線材を固定することができる長所を有する。
【図面の簡単な説明】
【０００７】
【図１】本考案の立体模式図である。
【図２】本考案の実施模式図である。
【図３】本考案の好ましい実施例１である。
【図４】本考案の他の好ましい実施例２である。
【図５】本考案の他の好ましい実施例３である。
【考案を実施するための形態】
【０００８】
本考案の立体模式図を示す図１を参照し、図に示す線材バインディングベルト１０が軟質材料で製作され、例えば、ゴムで射出成形され、線材バインディングベルト１０には、線材２０が貫通できる套管１０４が成型されていることであれば、貫通が完成した後、線材バインディングベルト１０は、套管１０４の作用によって、常態的に線材２０に掛けることになり、また、套管１０４の外環の面には、ロック部１０１が成型され、図に示すように、このロック部１０１が凸点状に成型され、また套管１０４の外環の面から延伸してシート状又は棒状の被覆部１０２がさらに成型され、かつ被覆部１０２の底部端に近い平面に対応ロック部１０３が成型され、図に示すように、この対応ロック部１０３が貫通孔状に成型されており、その主な原因は、被覆部１０２が套管１０４に沿って巻いた後、ロック部１０１を対応ロック部１０３を貫通させることによって、線材を束ねる動作を完成することにあり、再び図を参照して、ロック部１０１と対応ロック部１０３とがロックによる組合せ動作を行う時に、材質自身の持っている弾性を利用して、ロックと脱出防止の効果を奏する。
【０００９】
本考案の実施模式図を示す図２を参照し、図に示す線材バインディングベルト１０は、実施の時に、線材バインディングベルト１０の外に露出した線材を先に折り、折った後の線材２０を線材バインディングベルト１０の被覆部１０２の平面に放置してから、被覆部１０２を巻いた後、ロック部１０１を被覆部１０２の対応ロック部１０３を貫通させることよって、線材を束ねる動作を完成することができ、被覆部１０２の底部端に近い対応ロック部１０３がロック部１０１のロックによって固定された作用を図ったため、線材２０が被覆部１０２にきちんと被覆されて制限されることができ、即ち、速やかに線材を束ねる効果を達成することができ、これによって、線材の雑然の問題を効果的に解決でき、本考案の線材バインディングベルトの材質が弾性を有する特点を利用して、線材を束ねる時や線材を解く時に、速やかに行うことができ、実際の要求に適う。
【００１０】
本考案の他の好ましい実施例１を示す図３を参照し、図に示す線材バインディングベルト１０は、その套管１０４の一側に、合わせ目１０５がさらに成型されており、線材バインディングベルト１０が軟質材料で製作されたものであるため、合わせ目１０５が力を加えられた後、適宜な弾性的開閉動作を行うことができ、その合わせ目１０５が適宜に開閉できる特性を利用して、合わせ目１０５が力を受けて開く時に、速やかに線材に組み合わせることができる。同図に示す実施例のように、本考案の線材バインディングベルト１０は、イヤホンコード３０に用いることができ、図に示すように、線材バインディングベルト１０の合わせ目１０５を利用して、線材バインディングベルト１０を速やかにイヤホンコード３０に組合せ、この場合に、実際の使用要求によって、線材バインディングベルト１０をいかなる線材に組み合わせることができる。再び図を参照し、組合せが完成した後、線材バインディングベルト１０は常態的にイヤホンコードに掛けることができ、その使用と実施形態については、図２に示す説明を参照する。
【００１１】
本考案の他の好ましい実施例２を示す図４を参照し、図に示す線材バインディングベルト４０は、軟質のゴム類材質によって一体的に成型されたものであり、成型後、套管４０１を備えるものになり、套管４０１の環面には、合わせ目４０５が成型されてよく、套管４０１の外環の面から延伸して被覆部４０２が成型されており、被覆部の平面における対応的な位置に第２のマジックテープ４０４が接着されており、本実施例の具体的な実施形態は、２つの場合に分けて述べることができる。
【００１２】
套管４０１に合わせ目がない場合に、線材に線材バインディングベルト４０を直接に射出成形することができ、線材を束ねる時に合わせて使用し、又は先に線材を線材バインディングベルト４０の套管４０１に嵌め込んでから、線材のコネクタによって装置を完成することによって、套管４０１によって常態的に線材を線材バインディングベルト４０を貫通させることができる。
【００１３】
套管４０１に合わせ目４０５がある場合に、例えば、イヤホンコード、電源コード等の使用する線材を実際の要求によって直接に套管に嵌め込むことができる。
【００１４】
以上のように、実施の時に、線材（例えば、イヤホンコード又は電源コード）を折り、折った後の線材を被覆部４０２の平面に放置してから、被覆部４０２を巻いて、第１のマジックテープ４０３と第２のマジックテープ４０４を対応的に接着させることによって、速やかに線材を束ねる動作を完成でき、線材を解く時に、第１のマジックテープ４０３と第２のマジックテープ４０４とを分離することだけで、完成できる。
【００１５】
本考案の他の好ましい実施例３を示す図５を参照し、図に示す線材バインディングベルト５０は、軟質のゴム類材質によって一体的に成型されたものであり、成型の後、套管５０１を備えるものになり、套管５０１の環面には、合わせ目５０５が成型されてよく、また、円形套管５０１の外環の面から延伸して被覆部５０２が成型されている。再び図を参照し、その套管５０１の上方には、第１の磁石５０３が貼り付けられており、被覆部５０２の平面における対応的な位置に、第２の磁石５０４が貼り付けられている。実施の時に、線材バインディングベルト５０に組合せられた線材（例えば、イヤホンコード又は電源コード）を先に折って、折った後の線材を被覆部５０２の平面に放置してから、被覆部５０２を巻いて、第１の磁石５０３と第２の磁石５０４との対応的な磁力吸引を完成させることだけで、速やかに線材を束ねる動作を完成でき、線材を解く時に、第１の磁石５０３と第２の磁石５０４とを分離することだけで、完成できる。
【００１６】
前記のように、本考案を実施した後、速やか且つ便利に縛り整理済み線材を固定し、線材が脱落して絡まって入り交じることが発生しないようにする線材バインディングベルトを提供する目的を確実に達成することができる。
以上述べたものは、本考案を説明するだけであり、本考案を限定するものではなく、当業者なら、実用新案登録請求の範囲に限定された精神と範囲から逸脱しない範囲内に、多様な修正や変化又は同等な効果を加えることができるが、この実用新案登録請求の範囲に含まれることが理解できる。
【符号の説明】
【００１７】
１０  線材バインディングベルト、１０１  ロック部、１０２  被覆部、１０３  対応ロック部、１０４  套管、１０５  合わせ目、２０  線材、３０  イヤホンコード、４０  線材バインディングベルト、４０１  套管、４０２  被覆部、４０３  第１のマジックテープ、４０４  第２のマジックテープ、４０５  合わせ目、５０  線材バインディングベルト、５０１  套管、５０２  被覆部、５０３  第１の磁石、５０４  第２の磁石、５０５  合わせ目
【図１】
0003171783.tif 000003
【図２】
0003171783.tif 000004
【図３】
0003171783.tif 000005
【図４】
0003171783.tif 000006
【図５】
0003171783.tif 000007